(57)【特許請求の範囲】
【請求項１】
被検者寝載用天板を備えたＸ線透視撮影台において、天板の上面に左右一対の握り棒が設けられ、該握り棒は被検者が握ることのできる握り部を備え、この握り部が高さ変更手段を介して天板の上面に対してその高さが調整できるように形成されているＸ線透視撮影台であって、
前記高さ変更手段が、前記握り部両端近傍と天板とを回動可能に連結して握り部を折りたたみ可能にした脚杆を備え、この脚杆を立ち上がり姿勢と傾倒姿勢とに保持するロック機構が設けられていることを特徴とするＸ線透視撮影台。
【請求項２】
被検者寝載用天板を備えたＸ線透視撮影台において、天板の上面に左右一対の握り棒が設けられ、該握り棒は被検者が握ることのできる握り部を備え、この握り部が高さ変更手段を介して天板の上面に対してその高さが調整できるように形成されているＸ線透視撮影台であって、
前記高さ変更手段が、前記握り部両端近傍と天板とを連結する伸縮可能な脚杆を備え、この脚杆を所望の長さで保持するロック機構が設けられていることを特徴とするＸ線透視撮影台。
【発明の詳細な説明】
【技術分野】
【０００１】
本発明は、被検者寝載用天板（寝台）を備えたＸ線透視撮影台に関するものであり、殊に、天板上に横たわる被検者が握る握り棒を備えたＸ線透視撮影台に関する。
【背景技術】
【０００２】
従来、被検者寝載用天板を備えたＸ線透視撮影台において、天板上に横たわる被検者を検査する場合、天板の角度をかえることにより被検者の姿勢（体位）を変化させて各部位の透視、撮影を行っている。この場合、天板を動かしている最中や、図  に示すように、頭側が下方に傾いた逆傾斜時などに被検者が握って自身の体を支える握り棒が天板に設けられている（特許文献1参照）。
【０００３】
この握り棒は、被検者が検査中に天板上で体位変換を行う際に落下しないように支える柵としての機能も有しており、被検者の安心感を得るためにも、ある程度の高さが要求される。反面、検査中に術者が被検者に対し穿刺などの術前処置をする場合や、側方向からの透視、撮影を行う場合、或いは被検者が側方から天板へ乗降りする場合などには握り棒が邪魔になる。
このように握り棒が邪魔になるときに、例えば特許文献２に示すように、天板から取り外すことができるようにしたものが提案されている。これによれば、両端を折り曲げた握り棒（２）の各先端に、頭部を大径とした軸状の係合部（きのこ形支持軸２ａ）を設け、この係合部（２ａ）を天板（１）に設けた一対の鍵穴状の取付け孔（だるま形透孔１ｂ）の大径部（１ｂ２）に差し込んで、係合部の大径頭部（２ａ１）を取付け穴の小径部（１ｂ１）に移行させることにより取り付けるようにし、逆に小径部から大径部にスライドさせることにより取り外せることができるように形成されている。
【特許文献１】特開平１０−１１３３４６号公報
【特許文献２】特開平１０−１８４６２９号公報
【発明の開示】
【発明が解決しようとする課題】
【０００４】
しかし、上記の従来手段では、握り棒を天板に取り付ける際に、係合部（２ａ）を左右の取付け孔（１ｂ）の大径部（１ｂ２）に差し込んで小径部（１ｂ２）に移行させたる操作が面倒であると共に、着脱できるようにするためには係合部と取付け穴の小径部との係合力に限界があり、そのため、使用中に握り棒の係合部が取付け穴の大径部の方向に移動して握り棒がガタついたり、不用意に外れたりする虞があった。また、握り棒を取り外したときにその格納、管理が面倒である、といった大きな欠点があった。
【０００５】
そこで本発明は、上記の課題を解決し、天板から取り外すことなく、簡単に且つ確実にその高さを変更することのできる握り棒を備えたＸ線透視撮影台を提供することを主たる目的とするものである。
【課題を解決するための手段】
【０００６】
上記目的を達成する為に本発明では次のような技術的手段を講じた。即ち、本発明のＸ線透視撮影台にあっては、被検者寝載用天板を備えたＸ線透視撮影台において、天板の上面に左右一対の握り棒が設けられ、該握り棒は被検者が握ることのできる握り部を備え、この握り部が、高さ変更手段を介して天板の上面に対してその高さが調整できるように形成されているＸ線透視撮影台であって、前記高さ変更手段が、前記握り部両端近傍と天板とを回動可能に連結して握り部を折りたたみ可能にした脚杆を備え、この脚杆を立ち上がり姿勢と傾倒姿勢とに保持するロック機構が設けられているようにするものである。
【発明の効果】
【０００７】
本発明のＸ線透視撮影台は、検査中に術者が被検者に術前処置をする場合や、側方向からの透視、撮影を行う場合、或いは被検者が側方から天板へ乗降りする場合などには握り棒を低くすることによって握り棒による障害を解消することができ、殊に握り棒を天板に取り付けたり、取り外したりするものでなく、握り棒を天台に取り付けたまま握り部の天板上面に対する高さを変更するものであるから、高さ変更に要する時間が短くなって検査中の作業の流れを妨げることがなく、加えて不要なときに握り棒を天板から取り外す必要がないから、従来のように取り外したあとの握り棒の格納や保管に煩わされることがない、といった優れた効果がある。
【０００８】
さらに、本発明のＸ線透視撮影台は、前記高さ変更手段が、握り部両端近傍と天板とを回動可能に連結して握り部を折りたたみ可能にした脚杆を備え、この脚杆を立ち上がり姿勢と傾倒姿勢とに保持するロック機構が設けられていることにより、脚杆を立ち上がり姿勢に保持し、握り部を所定の高さに維持できるとともに、ロック機構を解除して左右の脚杆を傾倒姿勢に倒すことにより、握り棒を天板から取り外すことなく、簡単に低い姿勢に折りたたむことができる。
【０００９】
また、上記発明の被検者寝載用天板を備えたＸ線透視撮影台において、天板の上面に左右一対の握り棒が設けられ、該握り棒は被検者が握ることのできる握り部を備え、この握り部が高さ変更手段を介して天板の上面に対してその高さが調整できるように形成されているＸ線透視撮影台であって、前記高さ変更手段が、握り部両端近傍と天板とを連結する伸縮可能な脚杆を備え、この脚杆を所望の長さで保持するロック機構が設けられているようにしてもよい。
これにより、ロック機構を解除して左右の脚杆を伸縮させてその高さ（長さ）を変更させることにより、握り棒を天板から取り外すことなく握り部の高さを簡単に調整することができる。
【発明を実施するための最良の形態】
【００１０】
以下において本発明にかかるＸ線透視撮影台について図面に示した実施例に基づき説明する。
図１は本発明にかかるＸ線透視撮影台の概略構成を示した全体図であって、床面に設置固定される基台１と、この基台１に起倒回動可能に支持された天板２と、この天板２上の被検者Ｄを透視撮影するためのＸ線管３とからなり、天板２の上面には左右一対の握り棒４並びに被検者Ｄの肩を支える肩当て５が設けられている。前記握り棒４は天板２の上面に対して平行な棒状の握り部６を備え、この握り部６が高さ変更手段を介して天板の上面に対してその高さが調整できるように形成されている。
【００１１】
図２〜図４は本発明における握り部６の高さ変更手段の第１の実施例を示すものであって、この実施例では握り部６の両端に配置された脚杆７を含み、脚杆７の上端が上部枢軸８を介して握り部６に回動可能に連結され、下端が天板２に固定されたボス９に対して下部枢軸１０を介して回動可能に連結されている。即ち、握り部６並びに左右の脚杆７は４つの枢軸８、８、１０、１０による４点リンク機構により折りたたみ可能に形成されている。尚、前記ボス９は凹状受け部９ａを有し、この凹部受け部に脚杆７の薄くした差込部７ａが差し込まれて前記枢軸１０により連結されている。
更に、脚杆７を図２に示す立ち上がり姿勢と図３の傾倒姿勢とに保持するロック機構１１が前記脚杆７の何れか一方に設けられている。このロック機構１１は前記下部枢軸１０を含み、枢軸１０の先端部分がボス９に螺入され、枢軸１０の他端部が外部に露出して大径のつまみ１２を形成している。このつまみ１２を螺入方向、即ち締付け方向に回動することにより、脚杆７の差込部７ａとボス９の凹状受け部９ａとの相対的な隙間を埋めて脚杆７の回動がロックされるようになっている。
【００１２】
従ってこの実施例にあっては、脚杆７を立ち上げたり傾倒させたりすることにより、簡単に握り部６を天板上面に対して高くしたり、低くしたりすることができるとともに、ロック機構１１により立ち上がり姿勢を確実にロックすることができるので、安全に使用することができる。
【００１３】
図５並びに図６は本発明における高さ変更手段の第２の実施例を示すものであって、天板上面に対して平行な握り部６の両端が同方向に折り曲げられて脚杆７’を形成しており、この脚杆７’の下端の薄くした差込部７ａがボス９の凹状受け部９ａに差し込まれ、握り部の軸芯方向に沿った枢軸１０により回動可能に連結されている。また何れか一方の枢軸１０、実施例では右側の枢軸１０は、前記第１実施例と同様にロック機構１１の一部を構成しており、上述同様に、枢軸１０の先端部分がボス９に螺入され、枢軸１０の他端部が外部に露出して大径のつまみ１２を形成している。このつまみ１２を螺入方向、即ち締付け方向に回動することにより、握り部下端の枢支部分とボス９との相対的な隙間を埋めて脚杆７の回動がロックされるようになっている。従って、ロック機構１１を解除することにより容易に図５の立ち上がり姿勢と、図６の天板側方に向かった傾倒姿勢とに変更することができる。またこの実施例では、枢軸１０が左右２箇所だけで済むから構造を簡略化することができる。
【００１４】
図７並びに図８は前記第２実施例におけるロック機構１１の別の実施例を示すものであって、枢軸１０の両端が外部に露出してその一端に押しボタン１３が設けられ、他端に大径のフランジ１４が設けられており、このフランジ１４からボス９を貫通して脚杆７’の差込部７ａに設けた二つの係合孔７ｂ、７ｂ’に選択的に係合、離脱可能に挿入される係合ピン１６が設けられている。この係合ピン１６はスプリング１５により常時何れかの係合孔に係合した姿勢に付勢されているが、押しボタン１３をスプリング１５に抗して押すことにより係合孔７ｂ、７ｂ’から離脱するように形成されている。また係合ピン１６が図７並びに図８に示すように係合孔７ｂに係合したときに脚杆７’が立ち上がり姿勢となり、他方の係合孔７ｂ’に係合したときに図８の仮想線に示すように傾倒姿勢となるように設定されている。
これにより、押しボタン１３を押すだけでロックを解除することができて簡単に握り部６を高くしたり低くしたりすることができ、高くして被検者が使用するときは係合ピン１６が係合孔７ｂに係入して確実にその姿勢をロックすることができるので安全に使用することができる。
尚、この図７並びに図８で示したロック機構は、第１実施例のロック機構１１にかえてそのまま適用することが可能である。
【００１５】
図９〜図１１は本発明における高さ変更手段の第３の実施例を示す。この実施例では、前記握り部６の両端が同方向に折り曲げられて下端が開口する筒状部１７を形成しており、この筒状部１７が天板２に固定された円柱状のボス９’にスライド可能に套嵌されている。従って、この実施例では、円柱状のボス９’と前記筒状部１７とが協働して伸縮可能な脚杆７’を形成する。更に、この脚杆７’を所望の長さで保持するロック機構１１が設けられている。この実施例におけるロック機構１１は、筒状部１７の側面に上下方向に沿って形成された長孔１８と、該長孔１８からボス９’に向かって螺入された調整ネジ１９と、調整ネジ１９の外端に設けられた大径のつまみ２０とからなり、調整ネジ１９を緩めることにより脚杆７’が伸縮可能となり、調整ネジ１９を締め付けることによりロックできるように形成されている。
従って、調整ネジ１９を緩めたり、締め付けたりすることにより容易に図９の握り部６を持ち上げた姿勢と、図１０の押し下げた姿勢、若しくはその中間の姿勢に変更することができる。尚、この実施例において、図に示すように筒状部１７の内部にスプリング２１を収納して握り部６を常時持ち上げ方向に付勢させるようにしてもよい。これにより握り部６を低い姿勢から高くする場合に左右バランスよく容易に上動させることができる。
【００１６】
以上本発明の代表的な実施例について説明したが、本発明は必ずしも上記の実施例構造のみに特定されるものではない。例えば、上記実施例ではロック機構を何れか一方の脚杆に設けた例を示したが、両方の脚杆に設けてもよいことは勿論である。その他本発明ではその目的を達成する範囲内で適宜修正、変更することが可能である。
【産業上の利用可能性】
【００１７】
本発明は、Ｘ線透視撮影台の被検者寝載用天板（寝台）に適用することができる。
【図面の簡単な説明】
【００１８】
【図１】本発明にかかるＸ線透視撮影台の概略的な構成図。
【図２】本発明における高さ変更手段の第１の実施例を示す一部断面正面図。
【図３】上記実施例の動作状態を示す正面図。
【図４】図２におけるＡ−Ａ線断面図。
【図５】本発明における高さ変更手段の第２の実施例を示す一部断面正面図。
【図６】図５におけるＢ−Ｂ線断面図。
【図７】第２実施例におけるロック機構の別実施例を示す断面図。
【図８】図７におけるＣ−Ｃ線断面図。
【図９】本発明における高さ変更手段の第３の実施例を示す一部断面正面図。
【図１０】上記第３実施例の動作状態を示す正面図。
【図１１】上記第３実施例の側面図。
【符号の説明】
【００１９】
Ｄ  被検者
２  天板
４  握り棒
６  握り部
７、７’  脚杆
１１  ロック機構
【図１】
0005115445.tif 000002
【図２】
0005115445.tif 000003
【図３】
0005115445.tif 000004
【図４】
0005115445.tif 000005
【図５】
0005115445.tif 000006
【図６】
0005115445.tif 000007
【図７】
0005115445.tif 000008
【図８】
0005115445.tif 000009
【図９】
0005115445.tif 000010
【図１０】
0005115445.tif 000011
【図１１】
0005115445.tif 000012